(57)【要約】  【課題】  回転体全体の重量を軽減し、低出力の動力でありながらも、草刈りの能力は従来以上の効果を持つ草刈り刃を提供する。【解決手段】  下部の形状を二股にし互いに逆方向に曲げ加工を行い、刃先端部（３）を同上の作業回転径（４）に設定したことで、従来一つのホルダーに二枚一組で使用されていた草刈り刃に対し草刈り刃A（１）を使用した場合一枚の装着で同様の作業を可能とすることが出来、そうしたことで回転体全体重量の軽減を図れ、更に重量の軽減による出力の低減を図れた。また、草刈り刃Aの一枚当りの重量は従来の草刈り刃よりも重い為に、草等を刈り払う際の切れ味が向上した。【選択図】図１
2010057444.tif 000002
【特許請求の範囲】
【請求項１】
草刈り機械の草刈り刃を、従来二枚一組で使用していたものを一枚にすることで、回転体の重量の軽減をはかり、低出力の動力での草刈り作業を可能にし、切れ味は従来以上である草刈り刃。
【発明の詳細な説明】
【技術分野】
【０００１】
本発明は、草等を刈り払う作業と、細かく粉砕する作業とができる回転式草刈り刃に関するものである。
【背景技術】
【０００２】
自走式草刈り機の回転するローターと呼ばれる部分に、基本二枚一組にした草刈り刃をローターのホルダーと呼ばれる部分にボルト等を用いて装着する。
【０００３】
ボルト等が脱落するのを防止する為、抜け止めの処置を行う。
草刈り刃の装着状態は、ボルト等を軸にフリーとなっている。
【０００４】
草刈り刃の形状は、ホルダー部に装着する為のボルト等を通す取り付け穴が上部に有り、下部には草等を刈り払う為の刃と曲げ加工を施している。
【０００５】
ホルダー部に装着する際には、基本同じ形状の草刈り刃を曲げが互いに逆方向になる様に密着させ装着する。
【０００６】
一つのローターに多数あるホルダー全てに、草刈り刃を基本二枚一組で装着し、ローターを高速回転させることで草刈り刃が遠心力により外向きに起立し、その状態を保持したまま草等を刈り払う仕組となっている（例えば、特許文献１参照。）。
【０００７】
高速回転している草刈り刃が、障害物（石や金属等）に当り強い衝撃を受けた場合、ボルト等を軸にフリーとなっている為に回転方向と逆に弾かれ、衝撃を緩和する事で刃の欠けや割れを防止する構造となっている。
【０００８】
【特許文献１】特開２００８−３５８４０号公報
【発明の開示】
【発明が解決しようとする課題】
【０００９】
従来技術の草刈り作業では、ローターを高速回転させることで得られる遠心力を利用し、草刈り刃を外向きに起立させた状態で草等を刈り払う仕組で有る為に、十分な回転数を与えなければ起立した状態を保持できず、刃が倒伏してしまい草刈り作業が十分に行なえなくなる。
【００１０】
又、同じ回転数で刃が倒伏しない様にする為には、草刈り刃自体の重量を増加させる必要がある。
【００１１】
そうした場合、一つのホルダーに草刈り刃を二枚一組で装着している為に、多数有るホルダー全てに同様に装着した状態では、回転体全体の重量が大幅に増加することになり、その状態でローターを高速回転させ草刈り刃により草等を刈り払うには、より高出力の動力を要することに繋がる。
【００１２】
以上の様な事から、より低回転で低出力の動力を用いて作業を行なえる、軽量の草刈り刃の開発が望まれるところである。
【００１３】
本発明は、以上の様な課題を解決するもので、回転体全体の重量を軽減し、低出力の動力でありながらも、草刈りの能力は従来以上の効果を持つ草刈り刃を提供しようとするも
のである。
【課題を解決するための手段】
【００１４】
（図1）に示すように、下側の形状を二股にし、互いに逆になるように曲げ加工を行う。作業回転径（４）は、二股に分かれたどちらの端部（３）も、同上の作業回転径（４）に存在する。
【００１５】
本発明は、以上の構成よりなる回転体全体の重量の軽減を図った草刈り刃である。
【発明の効果】
【００１６】
本発明は、二股に分かれた形状に成形した事で、従来技術の草刈り刃B（５）の装着状態（図２）の様に、基本二枚一組をホルダー（７）に装着していたのに対し、本発明の草刈り刃A（１）の場合は、（図４）で示す様に一つのホルダー（７）に対し一枚の装着で対応することが出来る。
【００１７】
こうした事で、回転体全体の重量の軽減が図れ、ローター（６）を回転させる為の動力の低減が出来る。
【００１８】
又、回転体全体の重量は軽減されているのに対し、本発明の草刈り刃A（１）と従来技術の草刈り刃B（５）とを比較した場合、一枚当りの重量は本発明の草刈り刃A（１）の方が二股に分かれた片側の分重い。
【００１９】
従来技術の草刈り刃B（５）での作業では、一つのホルダー（７）に基本二枚装着されているが、刈り払い時には一枚での作業となる為に、重量が重い分同じ回転速度下では本発明の草刈り刃Ａ（１）の方が倒伏しにくく切れ味が向上する。
【発明を実施するための最良の形態】
【００２０】
本発明の草刈り刃A（１）を、自走式草刈り機のローター（６）部のホルダー（７）の取り付け穴A（８）と、草刈り刃の取り付け穴B（２）へボルト等を挿し通し装着する。
【００２１】
ボルト等が脱落するのを防止する為、抜け止めの処置を行う。ローター（６）は、自走式草刈り機へ地面と平行に設置されている。
【００２２】
本発明の草刈り刃A（１）の装着状態は、ボルト等を軸にフリーの状態となっており、多数有る全てのホルダー（７）にも同様に装着する。
【００２３】
以上の様に構成したので、ローター（６）が基点（９）を中心に高速回転することで、遠心力により草刈り刃が矢印Ｂ（１１）方向に起立する。
【実施例】
【００２４】
本機エンジン（１８）からの動力を、プーリＡ（２１）とベルトａ（２２）を利用し、ミッション（１９）に装着してあるプーリＢ（２３）へ伝達させる。
【００２５】
エンジン（１８）の動力は、ミッション（１９）により変速等が行われ、プーリＣ（２４）とベルトｂ（２５）を利用し、シャフト（２０）に装着してあるプーリＤ（２６）へ伝達させ、シャフト（２０）を回転させる。
【００２６】
プーリＤ（２６）によりシャフト（２０）へ伝達した動力は、シャフト（２０）に装着されているプーリＤ（２６）と反対側に装着されているプーリＥ（２７）とベルトｃ（２８）を通じて、ローター（６）と連結しているプーリＦ（２９）へ伝達される。
【００２７】
エンジン（１８）を高回転にすることで、ローター（６）が高速回転し、ホルダー（７）に装着されている草刈り刃Ａ（１）が矢印Ｂ（１１）方向に起立した状態になる。
【００２８】
作業回転径（４）内で矢印Ａ（１０）方向に高速回転している本発明の草刈り刃Ａ（１）は、刃部（１２）が草等に達した時、勢い良く切り込み刈り払う。続いて刃部（１３）が草等に達した時も同様に勢い良く切り込み刈り払う。
【００２９】
この時、本発明の草刈り刃A（１）は、（図１）に示す様に二股形状になっている事で、刃部（１２）が草等に切り込む際に、従来技術の草刈り刃Ｂ（５）に比べ右下部（１６）の重量が加算され、刃の倒伏を抑制し切れ味が向上する。
【００３０】
同様に刃部（１３）が草等に切り込む際にも、左下部（１７）の重量が加算され結果切れ味が向上する。
【図面の簡単な説明】
【００３１】
【図１】本発明の草刈り刃正面図及び側面図
【図２】従来技術の草刈り刃正面図及び側面図
【図３】簡略した従来技術の草刈り刃装着図
【図４】簡略した本発明の草刈り刃装着図
【図５】（図４）側面図
【図６】作業状態図１
【図７】作業状態図２
【図８】自走式草刈り機簡略図
【符号の説明】
【００３２】
１  草刈り刃Ａ
２  取り付け穴Ａ
３  刃先端部
４  作業回転径
５  草刈り刃Ｂ
６  ローター
７  ホルダー
８  取り付け穴Ｂ
９  基点
１０  矢印Ａ
１１  矢印Ｂ
１２  刃部Ａ
１３  刃部Ｂ
１４  草等
１５  地面
１６  右下部
１７  左下部
１８  エンジン
１９  ミッション
２０  シャフト
２１  プーリＡ
２２  ベルトａ
２３  プーリＢ
２４  プーリＣ
２５  ベルトｂ
２６  プーリＤ
２７  プーリＥ
２８  ベルトｃ
２９  プーリＦ
【図１】
2010057444.tif 000003
【図２】
2010057444.tif 000004
【図３】
2010057444.tif 000005
【図４】
2010057444.tif 000006
【図５】
2010057444.tif 000007
【図６】
2010057444.tif 000008
【図７】
2010057444.tif 000009
【図８】
2010057444.tif 000010